(57)【要約】【課題】動画の画質劣化を防ぐことが可能な発光装置および液晶表示装置を提供する。【解決手段】光を透過することにより画像を表示し、光の透過状態が所定期間ごとに更新されるパネル３に光を照射する光源７と、光源７を駆動する駆動部６と、駆動部６を制御して、所定期間において、光源７を複数回点滅させる制御部４とを備える。【選択図】図１
2008065228.tif 000002
【特許請求の範囲】
【請求項１】
光を透過することにより画像を表示し、光の透過状態が所定期間ごとに更新されるパネルに光を照射する光源と、
前記光源を駆動する駆動部と、
前記駆動部を制御して、前記所定期間において、前記光源を複数回点滅させる制御部とを備える発光装置。
【請求項２】
光を透過することにより画像を表示し、光の透過状態が所定期間ごとに更新されるパネルに光を照射する光源と、
前記光源を駆動する駆動部と、
前記駆動部を制御して、第１の前記所定期間において前記光源が点灯を開始するタイミングと、前記第１の所定期間の次の第２の前記所定期間において前記光源が点灯を開始するタイミングとを異ならせる制御部とを備える発光装置。
【請求項３】
前記制御部は、さらに、前記駆動部を制御して、前記所定期間において前記光源を複数回点滅させる請求項２記載の発光装置。
【請求項４】
前記パネルの表示する１つの画像は、複数のフィールド期間に分けて更新され、
前記所定期間は、前記複数のフィールド期間のうちの１つのフィールド期間である請求項１または２に記載の発光装置。
【請求項５】
前記パネルは液晶パネルである請求項１または２に記載の発光装置。
【請求項６】
前記光源は発光ダイオードである請求項１または２に記載の発光装置。
【請求項７】
前記光源は冷陰極管蛍光灯である請求項１または２に記載の発光装置。
【請求項８】
光を透過することにより画像を表示し、光の透過状態が所定期間ごとに更新される液晶パネルと、
前記液晶パネルに光を照射する光源と、
前記光源を駆動する駆動部と、
前記駆動部を制御して、前記所定期間において、前記光源を複数回点滅させる制御部とを備える液晶表示装置。
【請求項９】
光を透過することにより画像を表示し、光の透過状態が所定期間ごとに更新される液晶パネルと、
前記液晶パネルに光を照射する光源と、
前記光源を駆動する駆動部と、
前記駆動部を制御して、第１の前記所定期間において前記光源が点灯を開始するタイミングと、前記第１の所定期間の次の第２の前記所定期間において前記光源が点灯を開始するタイミングとを異ならせる制御部とを備える液晶表示装置。
【発明の詳細な説明】
【技術分野】
【０００１】
本発明は、非発光の透過型の表示部に光を照射する発光装置および液晶表示装置に関するものである。
【背景技術】
【０００２】
近年、画像表示用のディスプレイとして、従来の陰極線管（ＣＲＴ：Cathode Ray Tube）を用いたディスプレイの他に、液晶パネルを用いたディスプレイ、いわゆる液晶ディスプレイ（ＬＣＤ：Liquid Crystal Display）が普及している。液晶ディスプレイは、自ら発光するものではなく、液晶パネルの背面側にバックライトと呼ばれる光源を設置し、液晶パネルにバックライトからの光を透過させることで画像表示を行なうものである。
【０００３】
また、画像表示方式の一つとして、インターレース方式が知られている。インターレース方式とは、１画像（１フレーム）の表示を複数のフィールド期間に分けて行なう方式である。日本のテレビジョン放送で使用されているＮＴＳＣ（National Television Standards Committee）方式では１画像の半分の情報が１フィールド期間で更新される。
【０００４】
ここで、ＬＣＤは、ＣＲＴを用いたディスプレイとは異なり、表示される画像の輝度が１フィールド期間にわたってほぼ一定に保たれる、ホールド型と呼ばれる駆動方式（以下、ホールド型駆動とも称する。）を採用するディスプレイである。ホールド型駆動のディスプレイでは、尾引き、ボケ、ぼやけ、にじみ等、動画の画質劣化が発生する。ホールド型駆動のディスプレイにおける動画画質劣化の要因としては、網膜残像の影響があることが知られている。つまり、ホールド型駆動のディスプレイでは、１フィールド期間中、常に画像が表示され続けるため、観察者の網膜上で異なるフィールド期間の画像が重ねられる。このため、観察者が尾引き、すなわち輪郭のボケおよびなまりを感じてしまう。
【０００５】
ホールド型駆動のディスプレイの尾引きを改善する手段としては、特許文献１に示されるような、いわゆるインパルス型点灯方式がある。インパルス型点灯方式とは、１フィールド期間において、光源を点灯させる短期間の発光期間を設け、発光期間以外は光源を消灯させておく消灯期間とするものである。特許文献１記載のディスプレイでは、光源と観察者との間にシャッタを設け、このシャッタがオン状態の場合のみ、光源からの光を観察者に到達させる。そして、１フィールド期間において、シャッタのオン状態およびオフ状態を切り替えることで発光期間および消灯期間を設けることにより、インパルス型点灯方式を実現している。
【０００６】
図１２（ａ）は、従来のインパルス型点灯方式を採用するディスプレイにおける垂直同期信号を示す波形図である。図１２（ｂ）は、従来のインパルス型点灯方式を採用するディスプレイにおけるシャッタのオン状態およびオフ状態のタイミングを示す波形図である。図１２は、２つのフィールド期間で１画像が更新される例を示している。
【０００７】
図１２（ａ）を参照して、垂直同期信号の１周期が、１フィールド期間Ｔに相当する。ＮＴＳＣ方式の場合、１フィールド期間Ｔは、６０Ｈｚの１周期すなわち１６．７ｍｓｅｃである。
【０００８】
図１２（ｂ）を参照して、１フィールド期間内でシャッタをオフする期間を設けることにより、インパルス型点灯方式を実現し、ホールド型駆動のディスプレイの動画画質劣化を防いでいる。
【特許文献１】特開平９−３２５７１５号公報
【発明の開示】
【発明が解決しようとする課題】
【０００９】
図１３は、点滅の周波数と、人間が点滅を視覚的に認識するレベルとの関係を示す図である。
【００１０】
図１３を参照して、一般的に、６０Ｈｚよりも高い周波数の点滅は人間がほとんど認識できなくなる。一方、６０Ｈｚ以下の周波数の点滅は、人間がある程度認識することができる。
【００１１】
特許文献１記載のディスプレイでは、１フィールド期間に１回、つまり６０Ｈｚで光源が点滅することから、観察者は光源の点滅をある程度認識することになる。このため、特許文献１記載のディスプレイでは、画面のちらつきすなわちフリッカ妨害と呼ばれる画質劣化を観察者が感じてしまうという問題点があった。フリッカ妨害は、眼精疲労の原因となる等、観察者に悪影響を及ぼすものである。
【００１２】
それゆえに、本発明の目的は、動画の画質劣化を防ぐことが可能な発光装置および液晶表示装置を提供することである。
【課題を解決するための手段】
【００１３】
上記課題を解決するために、この発明のある局面に係わる発光装置は、光を透過することにより画像を表示し、光の透過状態が所定期間ごとに更新されるパネルに光を照射する光源と、光源を駆動する駆動部と、駆動部を制御して、所定期間において、光源を複数回点滅させる制御部とを備える。
【００１４】
またこの発明のさらに別の局面に係わる発光装置は、光を透過することにより画像を表示し、光の透過状態が所定期間ごとに更新されるパネルに光を照射する光源と、光源を駆動する駆動部と、駆動部を制御して、第１の所定期間において光源が点灯を開始するタイミングと、第１の所定期間の次の第２の所定期間において光源が点灯を開始するタイミングとを異ならせる制御部とを備える。
【００１５】
好ましくは、制御部は、さらに、駆動部を制御して、所定期間において光源を複数回点滅させる。
【００１６】
好ましくは、パネルの表示する１つの画像は、複数のフィールド期間に分けて更新され、所定期間は、複数のフィールド期間のうちの１つのフィールド期間である。
【００１７】
好ましくは、パネルは液晶パネルである。
好ましくは、光源は発光ダイオードである。
【００１８】
好ましくは、光源は冷陰極管蛍光灯である。
上記課題を解決するために、この発明のある局面に係わる液晶表示装置は、光を透過することにより画像を表示し、光の透過状態が所定期間ごとに更新される液晶パネルと、液晶パネルに光を照射する光源と、光源を駆動する駆動部と、駆動部を制御して、所定期間において、光源を複数回点滅させる制御部とを備える。
【００１９】
またこの発明のさらに別の局面に係わる液晶表示装置は、光を透過することにより画像を表示し、光の透過状態が所定期間ごとに更新される液晶パネルと、液晶パネルに光を照射する光源と、光源を駆動する駆動部と、駆動部を制御して、第１の所定期間において光源が点灯を開始するタイミングと、第１の所定期間の次の第２の所定期間において光源が点灯を開始するタイミングとを異ならせる制御部とを備える。
【発明の効果】
【００２０】
本発明によれば、動画の画質劣化を防ぐことができる。
【発明を実施するための最良の形態】
【００２１】
以下、本発明の実施の形態について図面を用いて説明する。なお、図中同一または相当部分には同一符号を付してその説明は繰り返さない。
【００２２】
＜第１の実施の形態＞
図１は、本発明の第１の実施の形態に係る液晶表示装置の構成を示すブロック図である。
【００２３】
図１を参照して、液晶表示装置２０１は、画像処理部１と、液晶ドライバ部２と、液晶パネル３と、バックライト装置（発光装置）１０１とを備える。バックライト装置１０１は、タイミング生成部（制御部）４と、バックライト駆動部６と、光源７とを含む。
【００２４】
画像処理部１は、外部から受けた映像信号に対して信号処理を行なうことにより液晶駆動制御信号を生成し、生成した液晶駆動制御信号を液晶ドライバ部２へ出力する。また、画像処理部１は、映像信号が含む垂直同期信号をタイミング生成部４へ出力する。
【００２５】
液晶ドライバ部２は、画像処理部１から受けた液晶駆動制御信号に基づいて液晶パネル３が含む図示しない液晶素子を駆動する。
【００２６】
バックライト装置１０１は、たとえば液晶パネル３の後方に設置される。タイミング生成部４は、画像処理部１から受けた垂直同期信号に同期したバックライト駆動制御信号を生成し、生成したバックライト駆動制御信号をバックライト駆動部６へ出力する。
【００２７】
バックライト駆動部６は、タイミング生成部４から受けたバックライト駆動制御信号に基づいて光源７を駆動する。たとえば、バックライト駆動部６は、バックライト駆動制御信号がＨレベルの場合に光源７を点灯する。ここで、光源７は、たとえば白色発光ダイオードで構成される。
【００２８】
液晶パネル３は、光源７から受けた光を透過することにより画像を表示する。液晶パネル３は、液晶ドライバ部２の駆動に基づいて光の透過状態を変化させることにより動画像を表示する。液晶パネル３は、光の透過状態を少なくとも１フィールド期間保持するように制御される。すなわち、液晶パネル３は、光の透過状態が所定期間ごとに更新される。なお、液晶表示装置２０１は、液晶パネルの代わりに、光源から受けた光を透過することにより画像を表示する他の種類のパネルを備える構成であってもよい。
【００２９】
図２は、タイミング生成部４の具体的な構成を示すブロック図である。
図２を参照して、タイミング生成部４は、クロック生成部４１と、カウンタ部４２と、比較部４３とを含む。
【００３０】
クロック生成部４１は、図示しないＰＬＬ（Phase Lock Loop）回路を含む。ＰＬＬ回路は、画像処理部１から受けた垂直同期信号を逓倍した逓倍クロックを生成し、生成した逓倍クロックをカウンタ部４２へ出力する。
【００３１】
カウンタ部４２は、クロック生成部４１から受けた逓倍クロックに基づいてカウントアップを行ない、カウント値を比較部４３へ出力する。また、カウンタ部４２は、画像処理部１から受けた垂直同期信号に基づいてカウント値をリセットする。
【００３２】
比較部４３は、カウンタ部４２から受けたカウント値と、予め設定された第１の設定値４４および第２の設定値４５とを比較する。比較部４３は、カウント値と、第１の設定値４４または第２の設定値４５とが一致している場合にはＨレベルの比較結果信号を出力し、一致していない場合にはＬレベルの比較結果信号を出力する。比較部４３は、ＨレベルまたはＬレベルの比較結果信号をバックライト駆動制御信号としてバックライト駆動部６へ出力する。
【００３３】
次に、タイミング生成部４の具体的な動作について図３を用いて説明する。
図３（ａ）は、画像信号の垂直同期信号を示す波形図である。図３（ｂ）は、カウンタ部４２の出力であるカウント値を示す図である。図３（ｃ）は、比較部４３の出力であるバックライト駆動制御信号を示す波形図である。図３（ａ）〜（ｃ）は、図２に示すタイミング生成部４における（ａ）〜（ｃ）の信号に対応している。図３は、クロック生成部４１の出力である逓倍クロックが垂直同期信号の８逓倍クロックである場合を示している。また、図３は、第１の設定値４４および第２の設定値４５がそれぞれ”５”および”７”の場合を示している。なお、クロックの逓倍数および設定値は他の値としても本発明の目的を達成することができることは言うまでもない。
【００３４】
図３（ａ）を参照して、垂直同期信号の周期Ｔが、１フィールド期間（ＮＴＳＣ方式の場合１６．７ｍｓｅｃ）に相当する。また、図３（ｃ）において、縦に引かれた複数本の破線の間隔Ｐ１が、クロック生成部４１の出力である逓倍クロックの周期を示している。この逓倍クロックは、前述の通り、垂直同期信号の８倍の周波数を有する。
【００３５】
図３（ｂ）を参照して、逓倍クロックの周波数が垂直同期信号の周波数の８倍であり、また、カウント値は垂直同期信号の立ち下がりエッジでリセットされる。このため、カウンタ部４２のカウント値は０から７までの範囲をとる。
【００３６】
図３（ｃ）を参照して、第１の設定値４４および第２の設定値４５はそれぞれ”５”および”７”であるため、比較部４３は、カウンタ部４２から受けるカウント値が”５”となる時刻ｔ１においてＨレベルの比較結果信号を出力し、また、カウンタ部４２から受けるカウント値が”７”となる時刻ｔ２においてＨレベルの比較結果信号を出力する。
【００３７】
すなわち、タイミング生成部４は、１フィールド期間においてＨレベルとなる期間が２回存在するバックライト駆動制御信号を生成する。
【００３８】
ここで、バックライト駆動部６は、前述の通り、バックライト駆動制御信号がＨレベルである期間、光源７を点灯する。
【００３９】
このため、光源７は、１フィールド期間において２回点灯し、それ以外の期間は消灯していることになる。つまり、図３においては、時刻ｔ０からｔ１までが１フィールド期間における消灯期間に相当し、時刻ｔ１からｔ３までが１フィールド期間における発光期間に相当する。そして、ｔ１からｔ３までの発光期間において、光源７は２回の点滅を行っている。
【００４０】
このような構成により、本発明の第１の実施の形態に係るバックライト装置では、インパルス型点灯方式を実現することが可能となり、動画像の画質劣化である尾引き等を軽減することができる。
【００４１】
続いて、１フィールド期間において１回の点滅を行なう駆動方法よりも、本発明の第１の実施の形態に係るバックライト装置のように、１フィールド期間において複数回の点滅を行なう駆動方法の方が、フリッカ妨害を軽減できることを説明する。
【００４２】
図４は、従来のインパルス型点灯方式を採用するディスプレイにおけるバックライト駆動制御信号と、本発明の第１の実施の形態に係るバックライト装置におけるバックライト駆動制御信号とに対して、それぞれ高速フーリエ変換（ＦＦＴ）を行った結果を示すグラフ図である。
【００４３】
グラフａは、１フィールド期間において１回の点滅を行った場合における高速フーリエ変換の結果を示している。グラフｂは、１フィールド期間において２回の点滅を行った場合におけるフーリエ変換の結果を示している。なお、グラフａおよびグラフｂ共に、光源が点灯している期間は１フィールド期間の１／４の期間であると仮定して計算した結果を示している。つまり、グラフａおよびグラフｂでは、光源が点灯している期間は等しく、また、観察者に到達する光源からの光量は等しいと仮定している。また、１フィールド期間は１６．７ｍｓｅｃ、つまり、ＮＴＳＣ方式に従って光源を点灯させたと仮定している。
【００４４】
グラフａのバックライト駆動制御信号、およびグラフｂのバックライト駆動制御信号には、共に６０Ｈｚの周波数成分が存在することが分かる。これは、ＮＴＳＣ方式における１フィールド期間が６０Ｈｚに相当することに起因するものであり、ＮＴＳＣ方式の場合には６０Ｈｚの周波数成分が必ず存在する。
【００４５】
ここで、グラフａおよびグラフｂの６０Ｈｚの周波数成分を比較すると、グラフｂの方がグラフａと比べて６０Ｈｚの周波数成分のパワーが小さいことが分かる。これは、タイミング生成部４が、１フィールド期間においてＨレベルとなる期間が２回存在するバックライト駆動制御信号を生成することにより、バックライト駆動制御信号の周波数成分を６０Ｈｚよりも高い周波数成分にパワーを分散させているからである。
【００４６】
前述のように、６０Ｈｚを境界にして点滅に対する人間の視覚的認識能力は著しく劣化する。すなわち、グラフａで示される点灯方式と比べてグラフｂで示される点灯方式の方が、観察者がフリッカ妨害を感じにくい点灯方式であることが分かる。
【００４７】
以上より、本発明の第１の実施の形態に係るバックライト装置では、１フィールド期間において発光期間および消灯期間を設けるインパルス型点灯方式を実現していることから、ホールド型駆動のディスプレイの尾引き等の動画画質劣化を改善することが可能である。さらに、本発明の第１の実施の形態に係るバックライト装置では、従来のインパルス型点灯方式を行なうバックライト装置と比べてバックライト駆動制御信号の６０Ｈｚの周波数成分のパワーを小さくできることから、観察者が感じるフリッカ妨害を軽減することができる。
【００４８】
次に、本発明の第１の実施の形態に係るバックライト装置では、１フィールド期間における光源７の点滅回数が２回である構成としたが、これに限定されるものではないことを、図５および図６を用いて説明する。
【００４９】
図５（ａ）は、画像処理部１から出力される垂直同期信号を示す波形図である。図５（ｂ)は、１フィールド期間において４回の点滅を行なう場合の、タイミング生成部４が生成するバックライト駆動制御信号を示す波形図である。
【００５０】
図６は、従来のインパルス型点灯方式を採用するディスプレイにおけるバックライト駆動制御信号と、本発明の第１の実施の形態に係るバックライト装置におけるバックライト駆動制御信号とに対して、それぞれ高速フーリエ変換（ＦＦＴ）を行った結果を示すグラフ図である。
【００５１】
グラフａは、１フィールド期間において１回の点滅を行った場合における高速フーリエ変換の結果を示している。グラフｂは、１フィールド期間において４回の点滅を行った場合におけるフーリエ変換の結果を示している。図の他の見方および仮定事項は図４と同様である。
【００５２】
図６を参照して、図４で示した場合と同様に、１フィールド期間において４回の点滅を行なう場合の方が、１フィールド期間において１回の点滅を行なう場合と比べて６０Ｈｚの周波数成分のパワーが小さいことが分かる。すなわち、１フィールド期間において４回の点滅を行なう構成でも、観察者が感じるフリッカ妨害を軽減できることが分かる。
【００５３】
したがって、１フィールド期間における光源７の点滅回数を１回とするのではなく、複数回とすることで、バックライト駆動制御信号の有する６０Ｈｚの周波数成分のパワーが小さくなり、観察者が感じるフリッカ妨害を軽減することが可能となることが分かる。
【００５４】
なお、本実施の形態１においては、バックライト装置１０１内の光源７は白色発光ダイオードであるとしたが、これに限定するものではない。光源７が、赤、青および緑のＬＥＤであっても、また、冷陰極管蛍光灯であっても同様の効果が得られることは言うまでもない。
【００５５】
次に、本発明の他の実施の形態について図面を用いて説明する。なお、図中同一または相当部分には同一符号を付してその説明は繰り返さない。
【００５６】
＜第２の実施の形態＞
本実施の形態は、第１の実施の形態に係るバックライト装置と比べて光源の駆動方法を変更したバックライト装置に関する。以下で説明する内容以外は第１の実施の形態に係るバックライト装置と同様である。
【００５７】
図７は、本発明の第２の実施の形態に係る液晶表示装置の構成を示すブロック図である。
【００５８】
図７を参照して、液晶表示装置２０２は、画像処理部１と、液晶ドライバ部２と、液晶パネル３と、バックライト装置（発光装置）１０２とを備える。バックライト装置１０２は、タイミング生成部（制御部）１１と、バックライト駆動部６と、光源７とを含む。
【００５９】
タイミング生成部１１は、画像処理部１から受けた垂直同期信号に同期したバックライト駆動制御信号を生成し、生成したバックライト駆動制御信号をバックライト駆動部６へ出力する。より詳細には、タイミング生成部１１は、バックライト駆動部６を制御して、あるフィールド期間Ａにおいて光源７が点灯を開始するタイミングと、フィールド期間Ａの次のフィールド期間Ｂにおいて光源７が点灯を開始するタイミングとを異ならせる。
【００６０】
図８は、タイミング生成部４の具体的な構成を示すブロック図である。
図８を参照して、タイミング生成部４は、クロック生成部４１と、カウンタ部４２と、比較部４３と、遅延部４８とを含む。
【００６１】
比較部４３は、カウンタ部４２から受けたカウント値と、予め設定された第１の設定値４４および第２の設定値４５とを比較する。比較部４３は、カウント値と、第１の設定値４４または第２の設定値４５とが一致している場合にはＨレベルの比較結果信号を出力し、一致していない場合にはＬレベルの比較結果信号を出力する。
【００６２】
遅延部４８は、比較部４３から受けた比較結果信号を所定範囲で遅延させ、遅延させた比較結果信号をバックライト駆動制御信号としてバックライト駆動部６へ出力する。遅延部４８は、比較部４３から受けた比較結果信号がＨレベルとなるたびに、すなわちカウンタ部４２のカウント値と第１の設定値４４または第２の設定値４５とが一致するたびに比較結果信号の遅延量を変更する。より詳細には、遅延部４８は、擬似的にランダム値を発生し、発生したランダム値に応じて比較結果信号の遅延量を変更する。
【００６３】
バックライト駆動部６は、タイミング生成部１１から受けたバックライト駆動制御信号に基づいて光源７を駆動する。
【００６４】
図９は、遅延部４８の具体的な構成を示すブロック図である。
図９を参照して、遅延部４８は、シフトレジスタ４８１と、遅延クロック生成部４８２と、エッジ検出部４８３と、擬似乱数発生部４８４と、セレクタ４８５とを含む。
【００６５】
遅延クロック生成部４８２は、内部に含む水晶発振子等により所定周波数の遅延クロックを生成し、シフトレジスタ４８１へ出力する。
【００６６】
シフトレジスタ４８１は、直列接続された複数個のレジスタＲＥＧを含む。複数個のレジスタＲＥＧは、遅延クロック生成部４８２から受けた遅延クロックに基づいて、比較結果信号を後段のレジスタＲＥＧにそれぞれ出力する。すなわち、シフトレジスタ４８１は、レジスタＲＥＧの段数だけ比較結果信号を遅延させる。ここで、複数個のレジスタＲＥＧは、それぞれ比較結果信号をセレクタ４８５へ出力する。すなわち、シフトレジスタ４８１は、複数の遅延量でそれぞれ遅延した比較結果信号を出力することができる。
【００６７】
エッジ検出部４８３は、比較部４３から受けた比較結果信号の立ち上がりエッジを検出する。
【００６８】
擬似乱数発生部４８４は、エッジ検出部４８３が比較結果信号の立ち上がりエッジを検出するたびに、セレクタ４８５へ出力する乱数信号の値を変更する。擬似乱数発生部４８４の構成は、特に限定するものではないが、通常、線形フィードバックシフトレジスタ（ＬＦＳＲ：Linear Feedback. Shift Register）を用いて簡単に構成できる。
【００６９】
セレクタ４８５は、擬似乱数発生部４８４から受けた乱数信号に基づいて、シフトレジスタ４８１における複数個のレジスタＲＥＧから受けた複数個の比較結果信号のうちのいずれか１個を選択し、選択した比較結果信号をバックライト駆動制御信号としてバックライト駆動部６へ出力する。
【００７０】
たとえば、擬似乱数発生部４８４から受けた乱数信号の値が”Ｎ”である場合、セレクタ４８５は、シフトレジスタ４８１から受けた複数個の比較結果信号のうち、シフトレジスタ４８１におけるＮ番目のレジスタＲＥＧから受けた比較結果信号を選択する。
【００７１】
次に、本発明の第２の実施の形態に係るバックライト装置の具体的な動作について説明する。
【００７２】
図１０(ａ)は、垂直同期信号を示す図である。図１０（ｂ）は、比較部４３から出力される比較結果信号を示す図である。図１０（ｃ）〜（ｆ）は、シフトレジスタ４８１における各レジスタＲＥＧから出力される比較結果信号を示す図である。図１０（ｇ）は、エッジ検出部４８３から出力されるエッジ検出信号を示す図である。図１０（ｈ）は、擬似乱数発生部４８４から出力される乱数信号を示す図である。図１０（ｉ）は、セレクタ４８５から出力されるバックライト駆動制御信号を示す図である。
【００７３】
図１０（ａ）を参照して、垂直同期信号の周期Ｔが、１フィールド期間（ＮＴＳＣ方式の場合１６．７ｍｓｅｃ）に相当する。
【００７４】
図１０（ｃ）〜（ｆ）を参照して、縦に引かれた複数本の破線の間隔Ｐ２が、遅延クロック生成部４８２の出力である遅延クロックの周期を示している。すなわち、図１０（ｃ）〜（ｆ）は、比較部４３から出力された比較結果信号を遅延クロックの１周期ずつ順次遅延させた信号を示している。
【００７５】
まず、フィールド期間Ａにおける時刻ｔ１において、比較部４３から出力された比較結果信号がＨレベルとなる（図１０（ｂ））。
【００７６】
エッジ検出部４８３は、比較部４３から受けた比較結果信号の立ち上がりエッジを検出し、Ｈパルスのエッジ検出信号を擬似乱数発生部４８４へ出力する（図１０（ｇ））。
【００７７】
擬似乱数発生部４８４は、エッジ検出部４８３からエッジ検出信号を受けて、乱数信号の値を”０”から”３”に更新する（図１０（ｈ））。
【００７８】
セレクタ４８５は、たとえば、乱数信号の値がそれぞれ”０”、”１”、”２”および”３”の場合には、図１０（ｃ）、（ｄ）、（ｅ）および（ｆ）に示す比較結果信号をそれぞれ選択して出力する。
【００７９】
擬似乱数発生部４８４から受けた乱数信号の値が”３”であるため、セレクタ４８５は、”３”に対応するレジスタＲＥＧの出力、すなわち図１０（ｆ）に示す比較結果信号を選択して出力する（図１０（ｉ））。
【００８０】
次に、フィールド期間Ａにおける時刻ｔ２において、比較部４３から出力された比較結果信号が再びＨレベルとなる（図１０（ｂ））。
【００８１】
エッジ検出部４８３は、比較部４３から受けた比較結果信号の立ち上がりエッジを検出し、Ｈパルスのエッジ検出信号を擬似乱数発生部４８４へ出力する（図１０（ｇ））。
【００８２】
擬似乱数発生部４８４は、エッジ検出部４８３からエッジ検出信号を受けて、乱数信号の値を”３”から”１”に更新する（図１０（ｈ））。
【００８３】
擬似乱数発生部４８４から受けた乱数信号の値が”１”であるため、セレクタ４８５は、”１”に対応するレジスタＲＥＧの出力、すなわち図１０（ｄ）に示す比較結果信号を選択して出力する（図１０（ｉ））。
【００８４】
次に、フィールド期間Ａの次のフィールド期間Ｂにおける時刻ｔ３において、比較部４３から出力された比較結果信号がＨレベルとなる（図１０（ｂ））。
【００８５】
エッジ検出部４８３は、比較部４３から受けた比較結果信号の立ち上がりエッジを検出し、Ｈパルスのエッジ検出信号を擬似乱数発生部４８４へ出力する（図１０（ｇ））。
【００８６】
擬似乱数発生部４８４は、エッジ検出部４８３からエッジ検出信号を受けて、乱数信号の値を”１”から”２”に更新する（図１０（ｈ））。
【００８７】
擬似乱数発生部４８４から受けた乱数信号の値が”２”であるため、セレクタ４８５は、”２”に対応するレジスタＲＥＧの出力、すなわち図１０（ｅ）に示す比較結果信号を選択して出力する（図１０（ｉ））。
【００８８】
次に、フィールド期間Ｂにおける時刻ｔ４において、比較部４３から出力された比較結果信号が再びＨレベルとなる（図１０（ｂ））。
【００８９】
エッジ検出部４８３は、比較部４３から受けた比較結果信号の立ち上がりエッジを検出し、Ｈパルスのエッジ検出信号を擬似乱数発生部４８４へ出力する（図１０（ｇ））。
【００９０】
擬似乱数発生部４８４は、エッジ検出部４８３からエッジ検出信号を受けて、乱数信号の値を”２”から”３”に更新する（図１０（ｈ））。
【００９１】
擬似乱数発生部４８４から受けた乱数信号の値が”３”であるため、セレクタ４８５は、”３”に対応するレジスタＲＥＧの出力、すなわち図１０（ｆ）に示す比較結果信号を選択して出力する（図１０（ｉ））。
【００９２】
このように、タイミング生成部１１は、フィールド期間ごとに光源７の点灯を開始するタイミングを、擬似的ではあるがランダムに変化させる。このような構成により、バックライト駆動制御信号の周波数スペクトルを拡散する、すなわちバックライト駆動制御信号の有する６０Ｈｚの周波数成分のパワーを拡散することにより、フリッカ妨害を軽減することができる。
【００９３】
図１１は、本発明の第１の実施の形態に係るバックライト装置におけるバックライト駆動制御信号と、本発明の第２の実施の形態に係るバックライト装置におけるバックライト駆動制御信号とに対して、それぞれ高速フーリエ変換（ＦＦＴ）を行った結果を示すグラフ図である。
【００９４】
グラフａは、本発明の第１の実施の形態に係るバックライト装置における高速フーリエ変換の結果、すなわち１フィールド期間において光源７を２回点滅させる場合の高速フーリエ変換の結果を示している。グラフｂは、本発明の第２の実施の形態に係るバックライト装置における高速フーリエ変換の結果、すなわち、１フィールド期間において光源７を２回点滅させ、かつ、連続するフィールド期間ごとに光源７を点灯するタイミングを異ならせる場合の高速フーリエ変換の結果を示している。図の他の見方および仮定事項は図４と同様である。
【００９５】
図１１を参照して、グラフｂは、グラフａと比べてバックライト駆動制御信号のパワーが周波数軸上において広帯域に分散されていることが分かる。グラフｂは、グラフａと比べて６０Ｈｚの周波数成分のパワーが拡散されて小さくなっている。
【００９６】
したがって、本発明の第２の実施の形態に係るバックライト装置では、尾引き等の動画画質劣化を軽減することができ、かつ、本発明の第１の実施の形態に係るバックライト装置に比べて、観察者が感じる画面のちらつきすなわちフリッカ妨害をさらに軽減することができる。
【００９７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９８】
【図１】本発明の第１の実施の形態に係る液晶表示装置の構成を示すブロック図である。
【図２】タイミング生成部４の具体的な構成を示すブロック図である。
【図３】（ａ）は、画像信号の垂直同期信号の波形を示す図である。（ｂ）は、カウンタ部４２の出力であるカウント値を示す図である。（ｃ）は、比較部４３の出力であるバックライト駆動制御信号を示す波形図である。
【図４】従来のインパルス型点灯方式を採用するディスプレイにおけるバックライト駆動制御信号と、本発明の第１の実施の形態に係るバックライト装置におけるバックライト駆動制御信号とに対して、それぞれ高速フーリエ変換（ＦＦＴ）を行った結果を示すグラフ図である。
【図５】（ａ）は、画像処理部１から出力される垂直同期信号を示す波形図である。（ｂ)は、１フィールド期間において４回の点滅を行なう場合の、タイミング生成部４が生成するバックライト駆動制御信号を示す波形図である。
【図６】従来のインパルス型点灯方式を採用するディスプレイにおけるバックライト駆動制御信号と、本発明の第１の実施の形態に係るバックライト装置におけるバックライト駆動制御信号とに対して、それぞれ高速フーリエ変換（ＦＦＴ）を行った結果を示すグラフ図である。
【図７】本発明の第２の実施の形態に係る液晶表示装置の構成を示すブロック図である。
【図８】タイミング生成部４の具体的な構成を示すブロック図である。
【図９】遅延部４８の具体的な構成を示すブロック図である。
【図１０】(ａ)は、垂直同期信号を示す図である。（ｂ）は、比較部４３から出力される比較結果信号を示す図である。（ｃ）〜（ｆ）は、シフトレジスタ４８１における各レジスタＲＥＧから出力される比較結果信号を示す図である。（ｇ）は、エッジ検出部４８３から出力されるエッジ検出信号を示す図である。（ｈ）は、擬似乱数発生部４８４から出力される乱数信号を示す図である。（ｉ）は、セレクタ４８５から出力されるバックライト駆動制御信号を示す図である。
【図１１】本発明の第１の実施の形態に係るバックライト装置におけるバックライト駆動制御信号と、本発明の第２の実施の形態に係るバックライト装置におけるバックライト駆動制御信号とに対して、それぞれ高速フーリエ変換（ＦＦＴ）を行った結果を示すグラフ図である。
【図１２】（ａ）は、従来のインパルス型点灯方式を採用するディスプレイにおける垂直同期信号を示す波形図である。（ｂ）は、従来のインパルス型点灯方式を採用するディスプレイにおけるシャッタのオン状態およびオフ状態のタイミングを示す波形図である。
【図１３】点滅の周波数と、人間が点滅を視覚的に認識するレベルとの関係を示す図である。
【符号の説明】
【００９９】
１  画像処理部、２  液晶ドライバ部、３  液晶パネル、４  タイミング生成部（制御部）、６  バックライト駆動部、７  光源、４１  クロック生成部、４２  カウンタ部、４３  比較部、４４  第１の設定値、４５  第２の設定値、４８  遅延部、１０１，１０２  バックライト装置（発光装置）、２０１，２０２  液晶表示装置、４８１  シフトレジスタ、４８２  遅延クロック生成部、４８３  エッジ検出部、４８４  擬似乱数発生部、４８５  セレクタ、ＲＥＧ  レジスタ。
【図１】
2008065228.tif 000003
【図２】
2008065228.tif 000004
【図３】
2008065228.tif 000005
【図４】
2008065228.tif 000006
【図５】
2008065228.tif 000007
【図６】
2008065228.tif 000008
【図７】
2008065228.tif 000009
【図８】
2008065228.tif 000010
【図９】
2008065228.tif 000011
【図１０】
2008065228.tif 000012
【図１１】
2008065228.tif 000013
【図１２】
2008065228.tif 000014
【図１３】
2008065228.tif 000015